(57)【要約】  各別に成形された針本体とプロテクタとを容易に組み付けることができるプロテクタ付き医療用針を提供する。【解決手段】プロテクタ付き医療用針（１）は、針管（２）と、ハブ（７）とからなる針本体（３）と、針管（２）を収納可能なプロテクタ（４）と、針本体（３）をプロテクタ（４）に解除可能に係止する第１の係止手段と、針本体（３）をプロテクタ（４）に解除不能に係止する第２の係止手段とを備える。第１の係止手段は、ハブ（７）の側部に設けられた腕部（７５）と、鉤部（７７）と、プロテクタ（４）の側部に設けられた係止部（４４）とからなる。第２の係止手段は、ハブ（７）の先端部に設けられた突出部（７９，８０）と、プロテクタ（４）の後端側に設けられた係合部材（４７）とからなる。プロテクタ（４）は、内周面に突出部（７９，８０）通過可能に設けられた第１の溝部（４５）と、溝部（４５）と直交する方向に設けられた第２の溝部（４６）とを備える。
2017115756.tif 000002
【特許請求の範囲】
【請求項１】
前端が鋭利な針管と、先端に針管の後端部を支持し、後端に可撓性チューブが接続されるハブとからなる針本体と、該針本体が組み付けられ該針管を収納可能な筒状のプロテクタと、該針管が該プロテクタから突出した状態で該針本体を該プロテクタに解除可能に係止する第１の係止手段と、該針管が該プロテクタに収納された状態で該針本体を該プロテクタに解除不能に係止する第２の係止手段とを備えるプロテクタ付き医療用針において、  該第１の係止手段は、該ハブの側部に該ハブの長さ方向に沿って設けられ該ハブに対して弾性的に変形自在の１対の腕部と、該腕部の先端に設けられた鉤部と、該プロテクタの側部に設けられ該鉤部が係止される１対の係止部とからなり、  該第２の係止手段は、該針本体が該第１の係止手段により該プロテクタに係止されたときに該プロテクタから突出する該ハブの先端部に設けられ後端側にスロープを備える第１の突出部と、該ハブの第１の突出部よりさらに先端側に所定の間隔を存して設けられた第２の突出部と、該プロテクタの後端側に外方に向かって弾性的に変形自在に設けられ、該針管が該プロテクタに収納されたときに該第１の突出部の該スロープに案内されて該第１の突出部と該第２の突出部との間隙に係合される係合部材とからなり、  該第１の係止手段の１対の腕部は該ハブの中心軸に対して対称となるように設けられ、該第２の係止手段の該第１の突出部及び該第２の突出部は、該１対の腕部を結ぶ線と直交する線に対応する位置のハブの外周面に設けられ、  該プロテクタは、内周面の先端部から後端部までの全長に亘って、該第２の係止手段の該第１の突出部及び該第２の突出部が通過可能に設けられ、該１対の係止部を結ぶ線に対応する方向に設けられた第１の溝部と、該１対の係止部を結ぶ線と直交する線に対応する方向に設けられた第２の溝部とを備えることを特徴とするプロテクタ付き医療用針。
【請求項２】
請求項１記載のプロテクタ付き医療用針において、前記第２の係止手段の前記第１の突出部及び前記第２の突出部は、前記第１の係止手段の１対の前記腕部を結ぶ線と直交する線に対応する位置の前記ハブの外周面に、該ハブの中心軸に対して対称となるように各１対設けられることを特徴とするプロテクタ付き医療用針。
【請求項３】
請求項１又は請求項２記載のプロテクタ付き医療用針において、前記プロテクタは１対の翼状部を備えることを特徴とするプロテクタ付き医療用針。
【発明の詳細な説明】
【技術分野】
【０００１】  本発明は、プロテクタ付き医療用針に関する。
【背景技術】
【０００２】  従来、針本体と、針本体を収納可能な筒状のプロテクタとを備えるプロテクタ付き医療用針が知られている（例えば、特許文献１参照）。前記針本体は、前端が鋭利な針管と、該針管を支持するハブとからなり、該ハブは先端に該針管の後端部を支持し、後端に可撓性チューブが接続される。【０００３】  前記プロテクタ付き医療用針は、針管が血管等に穿刺された後には抜け落ちることがなく、使用後にはプロテクタに収納された針管が再突出して誤穿刺することがないようにすることが望まれる。そこで、前記プロテクタ付き医療用針は、前記針管が前記プロテクタから突出した状態で前記針本体を該プロテクタに解除可能に係止する第１の係止手段と、該針管が該プロテクタに収納された状態で該針本体を該プロテクタに解除不能に係止する第２の係止手段とを備えている。【０００４】  前記プロテクタ付き医療用針によれば、前記針管が前記プロテクタから突出した状態で血管等に穿刺されたときには、前記針本体が前記第１の係止手段により前記プロテクタに係止されるので、該針管が血管から抜け落ちることを防止することができる。また、使用後は、前記第１の係止手段による係止を解除し、前記針管を前記プロテクタに収納することができる。【０００５】  さらに、前記プロテクタ付き医療用針によれば、前記針管が前記プロテクタに収納されたときには、前記針本体が前記第２の係止手段により前記プロテクタに係止されるので再突出することがなく、誤穿刺を防止することができる。
【先行技術文献】
【特許文献】
【０００６】
【特許文献１】特許第３１３４９２０号公報
【発明の概要】
【発明が解決しようとする課題】
【０００７】  前記従来のプロテクタ付き医療用針では、前記針本体と前記プロテクタとはいずれも合成樹脂製であり、射出成形により成形される。ところが、各別に成形された前記針本体と前記プロテクタとを組み付けようとすると、前記第１の係止手段又は前記第２の係止手段が障害となり、組み付けることができないという問題がある。【０００８】  前記問題を解決するために、前記針本体と前記プロテクタとの一方を予め成形しておき、他方の射出成形時に金型内に配置し、インサート成形を行うことにより、該針本体と該プロテクタとが組み付けられた状態の製品を得ることが考えられる。【０００９】  しかしながら、前記インサート成形を行うには複雑な構造の金型を必要とし、操作が煩雑になるという不都合がある。【００１０】  本発明は、かかる不都合を解消して、各別に成形された前記針本体と前記プロテクタとを容易に組み付けることができるプロテクタ付き医療用針を提供することを目的とする。
【課題を解決するための手段】
【００１１】  かかる目的を達成するために、本発明のプロテクタ付き医療用針は、前端が鋭利な針管と、先端に針管の後端部を支持し、後端に可撓性チューブが接続されるハブとからなる針本体と、該針本体が組み付けられ該針管を収納可能な筒状のプロテクタと、該針管が該プロテクタから突出した状態で該針本体を該プロテクタに解除可能に係止する第１の係止手段と、該針管が該プロテクタに収納された状態で該針本体を該プロテクタに解除不能に係止する第２の係止手段とを備えるプロテクタ付き医療用針において、該第１の係止手段は、該ハブの側部に該ハブの長さ方向に沿って設けられ該ハブに対して弾性的に変形自在の１対の腕部と、該腕部の先端に設けられた鉤部と、該プロテクタの側部に設けられ該鉤部が係止される１対の係止部とからなり、該第２の係止手段は、該針本体が該第１の係止手段により該プロテクタに係止されたときに該プロテクタから突出する該ハブの先端部に設けられ後端側にスロープを備える第１の突出部と、該ハブの第１の突出部よりさらに先端側に所定の間隔を存して設けられた第２の突出部と、該プロテクタの後端側に外方に向かって弾性的に変形自在に設けられ、該針管が該プロテクタに収納されたときに該第１の突出部の該スロープに案内されて該第１の突出部と該第２の突出部との間隙に係合される係合部材とからなり、該第１の係止手段の１対の腕部は該ハブの中心軸に対して対称となるように設けられ、該第２の係止手段の該第１の突出部及び該第２の突出部は、該１対の腕部を結ぶ線と直交する線に対応する位置のハブの外周面に設けられ、該プロテクタは、内周面の先端部から後端部までの全長に亘って、該第２の係止手段の該第１の突出部及び該第２の突出部が通過可能に設けられ、該１対の係止部を結ぶ線に対応する方向に設けられた第１の溝部と、該１対の係止部を結ぶ線と直交する線に対応する方向に設けられた第２の溝部とを備えることを特徴とする。【００１２】  本発明のプロテクタ付き医療用針は、針本体と、該針本体が組み付けられる筒状のプロテクタとを備え、該針本体は、前端が鋭利な針管と、先端に該針管の後端部を支持し、後端に可撓性チューブが接続されるハブとからなり、該プロテクタは該針管を収納可能とされている。【００１３】  本発明のプロテクタ付き医療用針は、前記針管が前記プロテクタから突出した状態で、血管等に穿刺され、前記可撓性チューブ及び該針管を介して薬液等を血管等に供給するために用いられる。このとき、本発明のプロテクタ付き医療用針は、前記針本体が前記第１の係止手段により前記プロテクタに係止されることにより、前記針管が血管等から抜け落ちることを防止することができる。前記第１の係止手段は、前記ハブの前記腕部の先端に設けられた鉤部を、前記プロテクタに設けられた係止部に係止することにより、該針本体を該プロテクタに係止する。【００１４】  本発明のプロテクタ付き医療用針は、血管等から抜去したならば、第１の係止手段による前記針本体と前記プロテクタとの係止を解除する。第１の係止手段による係止の解除は、前記腕部を前記ハブ側に押圧して、前記プロテクタの前記係止部から外すことにより行うことができる。【００１５】  前記第１の係止手段による��止を解除したならば、前記ハブを後退させることにより、前記針管が前記プロテクタ内に引き込まれる。前記ハブを後退させる際に、前記第２の係止手段の第１の突出部及び第２の突出部は、前記第２の溝部に案内されることにより円滑に後退することができる。【００１６】  次に、前記第２の係止手段の第１の突出部及び第２の突出部が前記第２の溝部の後端部まで後退すると、前記係合部材が前記第１の突出部の後端側に備えられたスロープにより外方に変形される。前記係合部材は、前記針本体の後退により前記第１の突出部を乗り越えると、それ自体の弾性により原状に復帰し、該第１の突出部と第２の突出部との間隙に係合される。【００１７】  この結果、前記針本体は、前記第２の係止手段により前記プロテクタに解除不能に係止され、前後動不能になり、該プロテクタに収容された前記針管が再突出することがなくなるので、誤穿刺を防止することができる。【００１８】  次に、前記針本体を前記プロテクタに組み付けるときには、該プロテクタの後端側に前記ハブの先端側を挿入する。このとき、前記ハブの前記１対の腕部が前記プロテクタの係止部に係止される姿勢で、該プロテクタの後端側に該ハブの先端側を挿入しようとすると、該ハブの先端部に設けられた前記第２の突出部が前記係合部材に突き当たるので、挿入することができない。【００１９】  そこで、前記プロテクタと前記ハブとをその中心軸回りに相対的に９０°回転させる。このようにすると、前記ハブの先端部に設けられている前記第２の突出部と前記係合部材との衝突を回避して、該第２の突出部及び前記第１の突出部を、前記１対の係止部を結ぶ線に対応する方向に設けられた第１の溝部に収容することができる。前記ハブは、前記第２の突出部及び前記第１の突出部が前記第１の溝部に収容される姿勢とすることにより、前記プロテクタに挿入することができるが、前記１対の腕部が該プロテクタの後端部に突き当たると、それ以上挿入することができなくなる。【００２０】  そこで、前記プロテクタと前記ハブとをその中心軸回りに相対的に９０°、前回と反対方向に回転させる。このようにすると、前記ハブは前記１対の腕部が前記プロテクタの１対の係止部に係止される姿勢となるので、該１対の腕部を押圧して該ハブの方向に変形させた状態で、さらに前記プロテクタに挿入する。そして、前記腕部の先端に設けられた鉤部が前記係止部に達したところで前記腕部の押圧を解除すると、該腕部はそれ自体の弾性により原状に復帰し、該鉤部が該係止部に係止され、前記針本体が前記プロテクタに組み付けられる。【００２１】  従って、本発明のプロテクタ付き医療用針によれば、各別に成形された前記針本体と前記プロテクタとを、インサート成形等によることなく、容易に組み付けることができる。【００２２】  本発明のプロテクタ付き医療用針において、前記第２の係止手段の前記第１の突出部及び前記第２の突出部は、前記第１の係止手段の１対の前記腕部を結ぶ線と直交する線に対応する位置の前記ハブの外周面に、該ハブの中心軸に対して対称となるように各１対設けられることが好ましい。【００２３】  前記第２の係止手段の前記第１の突出部及び前記第２の突出部は、前記第１の係止手段の１対の前記腕部を結ぶ線と直交する線に対応する位置の前記ハブの外周面に１組だけ設けられていてもよいが、該ハブの中心軸に対して対称となるように各１対設けられることにより、前記針本体を前記プロテクタに確実に係止することができる。【００２４】  また、本発明のプロテクタ付き医療用針において、前記プロテクタは１対の翼状部材を備えることが好ましい。本発明のプロテクタ付き医療用針は、前記１対の翼状部材を重ね合わせて摘むことにより前記針管を容易に血管等に穿刺することができる。また、本発明のプロテクタ付き医療用針は、前記針管を血管等に穿刺した後は、前記１対の翼状部材を広げて粘着テープ等により皮膚に固定することができる。
【図面の簡単な説明】
【００２５】
【図１】本発明のプロテクタ付き医療用針の構成を示す斜視図。
【図２】図１に示すプロテクタ付き医療用針の分解図。
【図３】図１に示すハブの水平方向断面図。
【図４】図１に示すハブの垂直方向断面図。
【図５】図１に示すプロテクタの水平方向断面図。
【図６】図１に示すプロテクタの垂直方向断面図。
【図７】Ａは針本体をプロテクタに組み付けた状態を示す水平方向断面図、Ｂは針本体とプロテクタとの係止を解除した状態を示す水平方向断面図。
【図８】Ａは針本体を後退させた状態を示す垂直方向断面図、Ｂは針本体を後退させ針管がプロテクタに収納された状態を示す垂直方向断面図。
【図９】Ａはハブの腕部がプロテクタの係止部に係止される姿勢でプロテクタの後端側にハブの先端側を挿入しようとする状態を示す垂直方向断面図、ＢはＡの状態に対し前記プロテクタと前記ハブとをその中心軸回りに相対的に９０°回転させた姿勢でプロテクタの後端側にハブの先端側を挿入状態を示す垂直方向断面図。
【発明を実施するための形態】
【００２６】  次に、添付の図面を参照しながら本発明の実施の形態についてさらに詳しく説明する。
【００２７】  図１，２に示すように、本実施形態のプロテクタ付き医療用針１は、前端が鋭利な針管２を支持する針本体３と、針本体３が組み付けられる筒状のプロテクタ４と、プロテクタ４に外嵌された一対の翼状部材５とを備える。
【００２８】  針本体３は、針管２と、先端に針管２の後端部を支持し、後端に可撓性チューブ６が接続されるするハブ７とからなり、ハブ７は例えばアクリロニトリル−ブタジエン−スチレン共重合樹脂（ＡＢＳ樹脂）等の合成樹脂の射出成形により形成されている。また、プロテクタ４はポリプロピレン樹脂等の射出成形により形成されて針管２を収容可能とされており、翼状部材５は塩化ビニル樹脂等の軟質樹脂の射出成形により形成されている。
【００２９】  図３に示すように、針本体３を構成するハブ７は、円筒状のハブ本体７１の先端側に針管２が挿入されて支持される針管支持部７２を備え、後端側に可撓性チューブ６が接続される接続管部７３を備えている。針管支持部７２と接続管部７３とは、中間に設けられた空洞部７４を介して相互に連通している。
【００３０】  また、ハブ本体７１の後端部には、ハブ７の中心軸に対して対称となるように、１対の腕部７５，７５が設けられている。腕部７５，７５は、ハブ本体７１との間に間隔を存して、ハブ本体７１の長さ方向に沿って設けられている。腕部７５の先端部には頸部７６を介して鉤部７７が設けられており、鉤部７７の先端にはハブ本体７１に近接する側を鋭利とする傾斜面７８が先端側から後端側に向けて形成されている。
【００３１】  ハブ７は、前述のようにＡＢＳ樹脂からなるので、腕部７５，７５は矢示方向に押圧されることにより、ハブ本体７１方向に弾性的に変形することができる。また、腕部７５，７５は押圧が解除されると、それ自体の弾性力により原状に復帰することができる。
【００３２】  また、図４に示すように、ハブ７は、先端側から見たときに、腕部７５，７５を結ぶ線と直交する線に対応する位置のハブ本体７１の先端部の外周面上に、第１の突出部７９と第２の突出部８０とを備えている。突出部７９，８０は、ハブ７の中心軸に対して対称となる位置に各１対設けられている。尚、突出部７９，８０は、腕部７５，７５を結ぶ線と直交する線に対応する位置のハブ本体７１の先端部の外周面上に、１つずつ設けられていてもよい。
【００３３】  第１の突出部７９は、後端部にスロープ７９ａを備え、間隔を存して左右に１対設けられている。また、第２の突出部８０は、第１の突出部７９よりさらにハブ本体７１の先端側に、第１の突出部７９との間に所定の間隔を存して設けられている。
【００３４】  一方、プロテクタ４は、図５に示すように、筒状のプロテクタ本体４１の後端部に平面視先端側から後端側に次第に拡幅する拡幅部４２を備え、拡幅部４２の後端部には、腕部７５，７５が挿入される挿入部４３，４３を備えている。挿入部４３は、側方に窓部４４を備えており、挿入部４３に挿入された腕部７５の鉤部７７が窓部４４に係止されるようになっている。即ち、ハブ７の腕部７５、鉤部７７と、プロテクタ４の挿入部４３、窓部４４とにより第１の係止手段が構成される。
【００３５】  また、プロテクタ本体４１は、内周面に、先端部から後端部までの全長に亘って、挿入部４３，４３を結ぶ線に対応する方向に設けられた第１の溝部４５と、挿入部４３，４３を結ぶ線と直交する線に対応する方向に設けられた第２の溝部４６とを備えている。溝部４５，４６が交差する空間は、ハブ本体７１が摺動可能とされており、溝部４５，４６はいずれも、図４に示す突出部７９，８０が通過可能に設けられている。また、第１の溝部４５の後端部は挿入部４３に連通している。
【００３６】  また、第２の溝部４６の後端部には、係合部材４７が設けられている。係合部材４７は、図６に示すように、プロテクタ本体４１の後端部に連接された断面視Ｌ字状の部材であり、第２の溝部４６の後端部を閉塞するように設けられている。
【００３７】  プロテクタ４は、前述のようにポリプロピレン樹脂からなるので、係合部材４７は、第１の突出部７９のスロープ７９ａに案内されることにより、プロテクタ本体４１の外方（図中、上下方向）に弾性的に変形することができる。また、係合部材４７は第１の突出部７９を乗り越えると、それ自体の弾性力により原状に復帰することができ、第１の突出部７９と第２の突出部８０と間の間隙に係合される。即ち、ハブ７の突出部７９，８０と、プロテクタ４の係合部材４７とにより第２の係止手段が構成される。
【００３８】  次に、図７，８を参照して、プロテクタ付き医療用針１において、針管２を血管等から抜去した後、プロテクタ４に収納する際の作動について説明する。
【００３９】  針管２が血管等に穿刺されるときには、図７Ａに示すように、ハブ７の腕部７５の先端に設けられた鉤部７７がプロテクタ４の窓部４４に係止されることにより、針管２がプロテクタ４から突出した状態とされている。そこで、針管２を血管等から抜去した後には、腕部７５を矢示する方向に押圧し、腕部７５をハブ本体７１方向に弾性的に変形させることにより、鉤部７７と窓部４４との係止を解除する。そして、図７Ｂに示すように、腕部７５をハブ本体７１方向に変形させたまま、ハブ７を後退させることにより、針管２をプロテクタ本体４１内に引き込む。
【００４０】  このとき、図８Ａに示すように、ハブ本体７１の先端部に形成されている第１の突出部７９と第２の突出部８０とは、第２の溝部４６に案内されるので、ハブ７の後退に伴って、円滑に後退することができる。そして、第１の突出部７９が係合部材４７に当接すると係合部材４７は前述のように弾性的に変形可能なので、第１の突出部７９のスロープ７９ａに案内されてプロテクタ本体４１の外方（図中、上下方向）に変形する。
【００４１】  その後、さらにハブ７を後退させると、図８Ｂに示すように、係合部材４７は第１の突出部７９を乗り越え、それ自体の弾性力により原状に復帰して、第１の突出部７９と第２の突出部８０と間の間隙に係合される。このとき、針管２は、プロテクタ本体４１内に収納されており、係合部材４７と突出部７９，８０との係止は係合部材４７を外方に変形させない限り解除不能である。
【００４２】  従って、プロテクタ本体４１内に収納された針管２は再突出することがなく、誤穿刺を防止することができる。
【００４３】  次に、図９を参照して、各別に成形された針本体３（ハブ７）とプロテクタ４とを組み付ける際の作動について説明する。
【００４４】  針本体３をプロテクタ４に組み付ける際には、図９Ａに示すように、プロテクタ４の後端側にハブ７の先端側を挿入する。このとき、ハブ７の１対の腕部７５，７５がプロテクタ本体４１の挿入部４３に挿入され、鉤部７７が窓部４４に係止される姿勢で、プロテクタ４の後端側にハブ７の先端側を挿入しようとすると、ハブ７の先端部に設けられた第２の突出部８０が係合部材４７に突き当たるので、挿入することができない。そこで、図９Ａに矢示するようにプロテクタ４とハブ７とをその中心軸回りに相対的にに９０°回転させる。
【００４５】  このようにすると、図９Ｂに示すように、ハブ７は、第２の突出部８０と係合部材４７との衝突を回避して、突出部７９，８０を第１の溝部４５に収容することができる姿勢になる。尚、図９Ｂは、図９Ａに対し、プロテクタ４を９０°回転させた状態を示す。そこで、ハブ７を前進させると、突出部７９，８０は第１の溝部４５に案内され、ハブ７の前進に伴って円滑に前進することができる。
【００４６】  前述のようにハブ７を前進させて行くと、腕部７５，７５がプロテクタ４の後端部に突き当たり、それ以上前進させることができなくなる。そこで、プロテクタ４とハブ７とをその中心軸回りに相対的に９０°、前回と反対方向に回転させる。
【００４７】  このようにすると、ハブ７は図９Ａに示す姿勢に復帰し、腕部７５，７５がプロテクタ４の挿入部４３，４３に挿入できる姿勢となるので、腕部７５，７５をハブ本体７１方向に押圧して変形させた状態でさらに前進させ、挿入部４３に挿入する。このとき、腕部７５は先端に傾斜面７８を備えるので、傾斜面７８に案内されて挿入部４３に容易に挿入することができる。そして、腕部７５の先端に設けられた鉤部７７が窓部４４の位置に達したところで腕部７５の押圧を解除すると、腕部７５はそれ自体の弾性により原状に復帰し、鉤部７７が窓部４４に係止される。
【００４８】  この結果、針本体３をプロテクタ４に組み付けることができる。
【符号の説明】
【００４９】  １…プロテクタ付き医療用針、  ２…針管２、  ３…針本体、  ４…プロテクタ、  ７…ハブ、  ４４…窓部（係止部）、  ４５…第１の溝部、  ４６…第２の溝部、  ４７…係合部材、  ７５…腕部、  ７７…鉤部、  ７９…第１の突出部、  ８０…第２の突出部。
【図１】
2017115756.tif 000003
【図２】
2017115756.tif 000004
【図３】
2017115756.tif 000005
【図４】
2017115756.tif 000006
【図５】
2017115756.tif 000007
【図６】
2017115756.tif 000008
【図７】
2017115756.tif 000009
【図８】
2017115756.tif 000010
【図９】
2017115756.tif 000011
【国際調査報告】
2017115756.tif 000012
2017115756.tif 000013
2017115756.tif 000014
2017115756.tif 000015